(57)【要約】      （修正有）【課題】簡単に脱着でき、痴漢行為を立証しやすくする巻きスカートを提供する。【解決手段】巻きスカートを平滑な表面を有する材料で構成し、指紋を採取できるようにする。【選択図】図１
0003168748.tif 000002
【実用新案登録請求の範囲】
【請求項１】
着衣のうえから、少なくとも尻部を覆うことができる巻きスカートで、当該スカートを構成する材料が、指紋の付きやすいものであることを特徴とし、もって第三者が着衣のうえから身体を触った際に指紋が採取できるようにした痴漢対策用巻きスカート。
【請求項２】
請求項１の巻きスカートが、尻部を含む背中およびまたは胸部を覆うことができる寸法・形状であるもの。
【考案の詳細な説明】
【技術分野】
【０００１】  本考案は、交通機関内等における所謂痴漢行為を為す者の指紋が残るように考案された巻きスカートに関するものである。
【技術背景】
【０００２】  交通機関等において、第三者が本人の承諾なしに故意に身体に触れる所謂痴漢行為は、本人の着衣に指紋が付かないために証拠が残らず、犯罪行為として立証しにくい。
従来、衣類は織物や皮革で作られたので、指紋の採取は困難であったが故で、
本考案は、犯罪科学の知見にたって、指紋が付き易い材料で着衣の上から身体を覆い、もって第三者が手で身体に触れると指紋が残るようにして本問題を解決するものである。
【０００３】  指紋が付き易い材料は表面が平滑であることが求められるので、通気性が悪く恒常的に使用する着衣には不適な素材である。本考案は、痴漢行為の防止が必要とされる場合にのみ簡単に脱着できる衣類構造において実施することにより、本考案の効果が発揮できるようにした。
【先行技術文献】
【特許文献】
【０００４】
【特許文献１】なし
【非特許文献】
【０００５】
【非特許文献１】なし
【考案の概要】
【考案が解決すようとする課題】
【０００６】  通勤電車内等で所謂ラッシュアワーの込み合った状態で、特に女性の尻部を手で触る所謂痴漢行為は後を絶たない。これは、衣類に指紋が付きにくいため犯罪行為の証拠がとれないことに起因する。本考案は、着衣の上から指紋が付きやすい材料で構成された巻きスカートを使用することで、犯人の指紋が残り犯罪を立証しやすくするとともに、当該痴漢行為を撲滅させて社会的安全性をたかめるものである。
【課題を解決するための手段】
【０００７】  当該痴漢行為は、第三者が本人の承諾なしに故意に着衣のうえから身体に触れるものであるが、本人の着衣に指紋が付かないために証拠が残らず、犯罪行為として立証しにくい。本考案は、犯罪科学の知見にたって、指紋が付きやすい材料で着衣の上から身体を覆い、もって第三者が手で身体に触れると指紋が残るようにしたものである。本考案により犯人の指紋が残り犯罪を立証しやすくできる。
しかしながら、着衣自体を指紋が付き易い表面が平滑な材料で作ることは、通気性がなく着衣としての機能や衣装、あるいは着心地等の問題もある。本考案は、着衣の上から指紋が付きやすい材料で構成された巻きスカート形式を使用することで、痴漢防止対策が求められる交通機関乗車時等にのみ使用できる便宜性の良い痴漢対策具を提供するものである。
当該考案の実施は、かならずしも巻きスカートの形式をとらなくても、所謂エプロン形式でも十分に考案の目的が達成できる。しかしながら、脱着が簡単で衣装外観も損なわない巻きスカート形式のものが最も本考案の実施において好ましい。なお、本考案で言う所謂巻きスカートは、ラップスカートあるいはエプロンスカート等新たな名前で呼ばれることもあるが、本考案の趣旨を満足させるものはすべて本考案の対象となる。
【考案の効果】
【０００８】  本考案の実施によれば、勤電車内等で所謂ラッシュアワーの込み合った状態で、特に女性の尻部を手で触る所謂痴漢行為は後を絶たないが、本考案は、着衣の上から指紋が付きやすい材料で構成された巻きスカートを使用することで、犯人の指紋が残り犯罪を立証しやすくするとともに、当該痴漢行為を撲滅させて社会的安全性をたかめるものである。
【図面の簡単な説明】
【０００９】
【図１】本考案の実施例の巻きスカートを示した平面図である（実施例１）
【考案を実施するための形態】
【実施例１】
【００１０】  図１は、本考案の痴漢対策具の実施例のひとつで、巻きスカート形式のものを示した平面図である。厚さ１００ミクロンの塩化ビニールシートを帯状または緩い扇状に切断した主材料（１）の両端に、当該主材料を着衣の上から脱着できるように固定するいわゆるマジックテープを当該端部の各々に片面ずつ取り付けたもので、この扇状塩化ビニールシートを着衣のうえから腰部に巻いて、マジックテープで固定するものである。
【産業上の利用可能性】
【００１１】  本考案の痴漢対策具は、既存の産業分野で容易に製造可能なため、安価で簡便な痴漢対策具を社会に供給することが可能である。
【符号の説明】
【００１２】  図１の１。本考案の痴漢対策具の実施例のひとつで、巻きスカート形式のものの主材料で、厚さ１００ミクロンの塩化ビニールシート。
図１の２．図１の１の主材料を着衣の上から脱着できるように固定するいわゆるマジックテープの片面側。
図１の３．図１の３のマジックテープのもう一方の片面側である。この３と２を重ね合わせて接合し、１が腰部を覆う巻きスカートとなる。
【図１】
0003168748.tif 000003
【手続補正書】
【提出日】平成23年4月6日(2011.4.6)
【手続補正１】
【補正対象書類名】実用新案登録請求の範囲
【補正対象項目名】全文
【補正方法】変更
【補正の内容】
【実用新案登録請求の範囲】
【請求項１】
着衣のうえから少なくとも尻部を覆うことができる巻きスカートで、当該スカートを平滑な表面を有する材料で構成することを特徴とし、もって第三者が着衣のうえから身体を触った際に指紋が採取できるようにした痴漢対策用巻きスカート。
【請求項２】
前記巻きスカートが、尻部を含む背中およびまたは胸部を覆うことができる寸法・形状であることを特徴とする請求項１記載の痴漢防止巻きスカート。
【手続補正２】
【補正対象書類名】明細書
【補正対象項目名】００１０
【補正方法】変更
【補正の内容】
【００１０】図１は、本考案の痴漢対策具の実施例のひとつで、巻きスカート形式のものを示した平面図である。厚さ１００ミクロンの塩化ビニールシートを帯状または緩い扇状に切断した主材料（１）の両端に、当該主材料を着衣の上から脱着できるように固定するいわゆるマジックテープ（登録商標）を当該端部の各々に片面ずつ取り付けたもので、この扇状塩化ビニールシートを着衣のうえから腰部に巻いて、マジックテープ（登録商標）で固定するものである。
【手続補正３】
【補正対象書類名】明細書
【補正対象項目名】００１２
【補正方法】変更
【補正の内容】
【００１２】図１の１。本考案の痴漢対策具の実施例のひとつで、巻きスカート形式のものの主材料で、厚さ１００ミクロンの塩化ビニールシート。
図１の２．図１の１の主材料を着衣の上から脱着できるように固定するいわゆるマジックテープ（登録商標）の片面側。
図１の３．図１の３のマジックテープ（登録商標）のもう一方の片面側である。この３と２を重ね合わせて接合し、１が腰部を覆う巻きスカートとなる。
【手続補正４】
【補正対象書類名】図面
【補正対象項目名】図１
【補正方法】変更
【補正の内容】
【図１】
0003168748.tif 000004